(57)【要約】【課題】しゃもじの掬い部及び把持部が炊飯器に接触しないよう距離をもって炊飯器蓋上に着脱自在に取り付けられ、衛生的で手早く楽に仮置きができる保持具付きしゃもじを安価に提供することを目的とする。【解決手段】上記目的を達成するため、本発明は、炊飯器等への取付手段を下部に備えた支持部の上部にしゃもじを着脱自在に保持するしゃもじ保持手段を備え、しゃもじの掬い部が炊飯器に接触することなく且つしゃもじの把持部を掴み易くなるよう距離をもって着脱自在に取り付けられることを特徴とする。【選択図】      図１
2004313638.tif 000002
【特許請求の範囲】
【請求項１】
炊飯器等への取付手段を下部に備えた支持部の上部にしゃもじを着脱自在に保持するしゃもじ保持手段を備え、しゃもじの掬い部が炊飯器に接触することなく且つしゃもじの把持部を掴み易くなるよう距離をもって着脱自在に取り付けられることを特徴とするしゃもじ保持具。
【請求項２】
炊飯器等への取付手段を下部に備えた支持部の上部にしゃもじを着脱自在に保持するしゃもじ保持手段を備えた保持具と、該しゃもじ保持手段に対応した形状を有するしゃもじとから成り、しゃもじの掬い部が炊飯器に接触することなく且つしゃもじの把持部を掴み易くなるよう距離をもって着脱自在に取り付けられることを特徴とする保持具付きしゃもじ。
【請求項３】
請求項２において、しゃもじ保持手段は、しゃもじの位置調整ができ、しゃもじを自由な向きに保持できることを特徴とする保持具付きしゃもじ。
【請求項４】
請求項２において、しゃもじ及び保持具は、ネオジウム磁石やフェライト磁石等の粉末をプラスチック樹脂、塩化ビニール、ゴム等に混ぜた磁性素材から成り、磁力によって保持することを特徴とする保持具付きしゃもじ。
【発明の詳細な説明】
【０００１】
【発明の属する技術分野】
本発明は、炊飯器側面または炊飯器蓋上に衛生的に仮置きできる保持具付きしゃもじに関する。
【０００２】
【従来の技術】
従来のしゃもじは、ご飯を掬った後お代わりや洗い物をするまでの間、しゃもじの仮置き場所に困るものであり、炊飯器蓋上にそのまま置いたり、受け皿に置いたりする他、炊飯器本体にマグネット補助版を取り付けて磁石内蔵のしゃもじを着脱自在に付け外しのできる特許文献１の磁石付きしゃもじ、炊飯器側面に両面磁石の台によりステンレス帯付きしゃもじを着脱自在に付け外しのできる特許文献２の上下両面マグネット付きしゃもじ置き、２本の突出碗部が設けられたホルダーにしゃもじを吊り下げ吸盤で炊飯器側面に保持する特許文献３のしゃもじホルダー、吸盤付きケースにしゃもじを収納する特許文献４のしゃもじケース等を使用し炊飯器側面に取り付ける方法がある。
【０００３】
【特許文献１】
公開特許公報      特開平１１−３０９０７４号
【特許文献２】
公開実用新案公報  実開昭５２−０１０５６８号
【特許文献３】
公開特許公報      特開平１４−０００４７４号
【特許文献４】
公開実用新案公報  実開昭５１−１２８６７８号
【０００４】
【発明が解決しようとする課題】
しゃもじは、ご飯を掬った後、しゃもじの仮置きする場所に困るものであり、釜の中に入れたり、しゃもじをそのまま炊飯器蓋上に置くことは、不衛生であり、また、蓋上から滑り落としてしまう等の不便がある。また、皿や従来のしゃもじ保持具で仮置きすると、皿や保持具に米粒が付着し食後の水洗いの手間を増やしてしまう等の不便がある。
【０００５】
特許文献１の磁石付きしゃもじは、炊飯器にマグネット補助板を装着し、マグネット内蔵のしゃもじを磁力で固定するものであるが、炊飯器としゃもじとの距離がマグネットの厚み分しかなく距離が非常に近くなっているため、着脱の際、やり方によっては掬い面が炊飯器に接触し汚してしまう虞がある。また、炊飯器側面に取り付ける場合、掬い面を垂直にして保持するため付着した米粒が落下し易く、米粒で床を汚す虞がある。そこで掬い面が水平になるよう炊飯器蓋上に取り付けようとする場合、蓋上が球面状になってる上、液晶画面、スイッチ、水蒸気噴出口、取手、圧力調節部等が所狭しと設けらたものが多いため、それらが障害物となり背が低くスペースを必要とする該磁石付きしゃもじを取り付けることは困難である。もっとも磁石がしゃもじの掬い面側に設けられているため炊飯器蓋上に取り付けようとしても掬い面が下向きとなり米粒がより落下し易くなることから炊飯器蓋上に取り付け仮置きするには適していない。
【０００６】
特許文献２の上下両面マグネット付きしゃもじ置きは、両面磁石の台によりステンレス帯付きしゃもじを炊飯器に着脱自在に保持するものであるが、同形の磁石を用いるため、付け外しの際、両面磁石の台が動いたり、しゃもじ側に引き離れたりと不安定であり、また、外周面がプラスチック樹脂等で形成された炊飯器には磁石で取り付けしゃもじを保持させることはできない。
【０００７】
特許文献３のしゃもじホルダーは、吸盤付き基台から突出した突出椀部にしゃもじの掬い部を引っ掛け吊り下げるものであるが、ホルダーの基台としゃもじの掬い部との距離が近いため、着脱の際、やり方によっては掬い面が基台に接触し基台を汚してしまう虞があり、また、掬い面を垂直に保持する構造のものであるため付着した米粒が落下し易く、床を汚す虞がある。
【０００８】
特許文献４のしゃもじ保持具及びしゃもじは、吸盤付きで上部開口のケースにしゃもじを収納するものであり、洗浄済みのしゃもじを保管するには、衛生を保て便利であるが、お代わりや洗い物をするまでの間、使用中のしゃもじを仮置きすると、米粒でケース内を汚してしまい、洗浄しなければならない手間を増やす等の不便がある。不衛生となったケースを洗浄しなければならない手間を敬遠し、仮置きできずにいることが多い。
【０００９】
また、炊飯器横の保持具までしゃもじを運ぶことが面倒ということもあり、不衛生ながらも開口部直近の炊飯器蓋上についついしゃもじを置いてしまいがちであった。そうしたことから本来、開口部近くの炊飯器蓋上が一番手短で使い勝手の良いしゃもじの置き場所ではないかと思慮するものであるが、炊飯器蓋上は球面状であったり、取っ手、水蒸気噴出口、液晶画面、スイッチ、圧力調節部等が所狭しと設けられたものが多いため、従来のしゃもじや保持具では、大きさ面や構造面からも炊飯器蓋上に取り付け使用することはできない。
【００１０】
本発明は、掛かる問題に鑑み、しゃもじの掬い部及び把持部が炊飯器に接触しないよう距離をもって炊飯器蓋上に着脱自在に保持でき、衛生的で手早く楽に仮置きができる保持具付きしゃもじを安価に提供することを目的とする。
【００１１】
【課題を解決するための手段】
上記目的を達成するため、本発明は、炊飯器等への取付手段を下部に備えた支持部の上部にしゃもじを着脱自在に保持するしゃもじ保持手段を備え、しゃもじの掬い部が炊飯器に接触することなく且つしゃもじの把持部を掴み易くなるよう距離をもって着脱自在に取り付けられることを特徴とする。
【００１２】
炊飯器等への取付手段を下部に備えた支持部の上部に掬い部及び首部並びに把持部から成るしゃもじの首部を着脱自在に保持する保持手段を備えた保持具と、該しゃもじ保持手段に対応した形状を有するしゃもじとから成り、しゃもじの掬い部及び把持部が炊飯器に接触しないよう距離をもって着脱自在に取り付けられることを特徴とする。
【００１３】
この保持具付きしゃもじにおいて、しゃもじが炊飯器の取り付け面に対し掬い部と把持部が距離をもって取り付けられるようにしたことで、炊飯器蓋上に取り付けた場合、しゃもじが略水平に浮いた状態となることから、把持部は、掴み取り易く、しゃもじの着脱が容易となり、掬い部も炊飯器蓋上に浮いた状態となることから、掬い部はどこにも接触すること無く衛生的に仮置きすることができる。また、掬い面を上向きで保持できることから掬い面を垂直に保持するものと比べ付着した米粒が落下し難く、開口部近くの炊飯器蓋上に取り付け可能としたことにより手早く楽に仮置きすることができる。
【００１４】
前記しゃもじ保持手段は、しゃもじの位置調整ができ、しゃもじを自由な向きに保持できることを特徴とする。
【００１５】
しゃもじ及び保持具を、ネオジウム磁石やフェライト磁石等の粉末をプラスチック樹脂、塩化ビニール、ゴム等に混ぜた磁性素材で成形する事により、剥き出しのネオジウム磁石のように錆びること無く、磁力によって保持できることを特徴とする。
【００１６】
【発明の実施の形態】
本発明の保持具付きしゃもじは、以下の実施例によって何ら限定されるものでは無いことを前置き、しゃもじ保持手段別に実施例４例を挙げ添付の図面を参照しながら具体的に説明する。
【００１７】
【実施例１】
実施例１の保持具付きしゃもじは、図１、図３Ａに示すとおり、掬い部１１と首部１２と把持部１３から成るしゃもじ１と、炊飯器等への取付手段である吸盤２１中央上部に円柱、四角柱または、テーパー状等の形状で３センチメートルから５センチメートルの高さを有する支持部２２を垂直に立設し、該支持部２２上面にしゃもじ１の首部１２を載置する載置面２３を設け、該載置面２３上両端に内側へ対峙する係止部２４ａが上部に設けられた２つの嵌合爪２４を立設しており、該嵌合爪２４が弾性変形により該首部１２を嵌合し着脱自在に保持できるよう形成された保持具２から構成されている。
【００１８】
しゃもじ１は、図２に示すとおり保持具２の嵌合爪２４に嵌合する際、ずれること無く所定の場所に嵌合できるようしゃもじ１の掬い部１１と把持部１３の中間に位置する首部１２の両側面に嵌合溝１４を形成し、該嵌合溝１４の角は面取り加工等により丸みをもたせ、保持具２の嵌合爪２４にスムーズに着脱できるよう形成することができる。
【００１９】
しゃもじ１は、炊飯器蓋上に取り付けた場合に略水平に安定して保持できるよう首部１２に重心がくるよう形成することが望ましい。
【００２０】
しゃもじ１の掬い部１１は、米粒が付着し難いエンボス加工の形状等を選択することができる。
【００２１】
しゃもじ１の材質については、ポリプロピレン樹脂等、耐熱性に優れたポリアセタール樹脂等の素材を選定することができる。
【００２２】
保持具２の嵌合爪２４は、図１、図３Ａに示すとおり支持部２２上部の載置面２３両端に垂直の爪を立設する他、円弧状に湾曲した爪を２つ立設してもよく、しゃもじ１の首部１２、嵌合溝１４の形状に合わせ嵌合し得る形状で２本対峙するよう立設し、該嵌合爪２４先端上部内側には、カギ状に突出する係止部２４ａを対峙するよう設け、しゃもじ１を安定して保持できる形状に形成する。
【００２３】
前記係止部２４ａの上面は、上方からしゃもじ１の首部１２を押圧して嵌合する際、スムーズに嵌合できるよう内側下方へ傾斜する傾斜面２４ｂを形成する。
【００２４】
前記嵌合爪２４は弾性材を用い、弾性力をもって狭持することによりしゃもじ１を安定して保持でき、弾性変形により押圧や引き上げすることによりしゃもじ１を簡単に着脱できるよう形成する。
【００２５】
前記支持部２２の上部の載置面２３及び嵌合爪２４は、しゃもじ１を炊飯器蓋上に取り付けた場合、掬い面１５が上向きでしゃもじ１が略水平状態に保持できる形状に形成する。
【００２６】
保持具２の支持部２２は、前述のとおり３センチメートルから５センチメートル程度の高さを設け、図１０Ｂに示すとおりしゃもじ掬い部１１及び把持部１３が炊飯器取り付け面から距離をもって取り付けられ、掬い部１１は炊飯器のどこにもに接触することなく、また、把持部１３は、宙に浮いた状態で掴み取り易くなるよう形成する。
【００２７】
前記支持部２２は、必ずしも円柱、四角柱またはテーパー状等の形状に限らず、植物や果物、人の形や動物等のキャラクターを模した形状を造形してもよい。
【００２８】
また、嵌合爪２４等のしゃもじ保持手段を備えた支持部２２は、図３Ａに示すとおり吸盤２１と同一素材の塩化ビニール、ゴム等で一体成形するか、図３Ｂに示すとおり上部にしゃもじ保持手段を備えた取付支持部２８を別途形成し、吸盤２１に取り付けることができる。その場合、図３Ｂに示すとおり取付支持部２８下部には、内側に嵌合突起２８ａを有する下向凹状孔２８ｂを設け、吸盤２１上部には、嵌合孔２８ｃを設け、該嵌合突起２８ａと該嵌合孔２８ｃが嵌合して一体化できるよう設けることができる。
【００２９】
前記取付支持部２８と炊飯器等へ取付手段である吸盤２１とを分けることにより、取付支持部２８を大きく太く造形しても小さな吸盤２１を使用して炊飯器に取り付けることが可能であり、吸盤２１を大きくしなくも済む利点がある。
【００３０】
前記取付支持部２８は、弾性を有するポリプロピレン、プラスチック、塩化ビニール、ゴム等の素材を選定することができる。
【００３１】
炊飯器等への取付手段については、吸盤２１に限らず、粘着テープ様の取付手段でもよく、その他、炊飯器蓋に一体形成または嵌合する等の取付構造を設けてもよい。
【００３２】
実施例１の保持具２は、必ずしも図２に示すずれ防止の嵌合溝１４が設けられた前記しゃもじ１でなければ、嵌合、保持することができないというわけでは無く、形状や太さの異なる市販のしゃもじでも嵌合、保持できるよう融通のきく弾性変形する素材及び形状で形成することが望ましい。
【００３３】
以上のように構成された本発明の保持具付きしゃもじの使用方法について説明すると、図１０Ａ、図１０Ｂに示すとおり予め保持具２を炊飯器蓋上に取り付け、しゃもじ１の掬い面１５が上を向く状態でしゃもじ把持部１３を把持し、保持具２上部の嵌合爪２４にしゃもじ１の首部１２を上方から押圧し嵌合させることによりしゃもじを仮置きすることができる。ご飯を掬う時はしゃもじ１を引き外して使用し、ご飯のお代わりをしたり洗い物をするまで前要領で仮置きし、食事を終え洗い物をする時に、しゃもじ１を洗えば衛生的に使用することができる。
【００３４】
また、取り付け場所については、炊飯器近傍の調理器具や炊飯器側面等にも取り付け可能であるが、掬い面１５が垂直になるよりも付着した米粒が落下しにくい水平且つ掬い面１５が上を向く状態で保持することができる炊飯器蓋上に取り付けることが望ましい。
【００３５】
【実施例２】
実施例２の保持具付きしゃもじは、図４、図５に示すとおり掬い部１１及び首部１２並びに把持部１３から成るしゃもじ１の首部１２に丸型等の嵌入孔１６を設け、一方、保持具２の支持部２２上面には、しゃもじ１の首部１２を安定して載置するための載置面２３を設けその中央に弾性素材からなるジョイントボール２５を立設し、該ジョイントボール２５が該嵌入孔１６に嵌合する構造のしゃもじ保持手段を備え、支持部２２下部には、炊飯器等への取付手段として吸盤２１を設ける。
【００３６】
前記ジョイントボール２５は、しゃもじ嵌入孔１６の径より１、２ミリメートル程度大きく弾性素材で形成し、弾性変形によりジョイントボール２５に嵌入孔１６を嵌合でき、ジョイントボール２５を軸にしゃもじ１を回動自在に位置調整できるよう形成する。
【００３７】
しゃもじ１の嵌入孔１６の上面及び下面の角は、図４、図５に示すとおりすり鉢状に面取り加工を施し、保持具２のジョイントボール２５を自由な向きでスムーズに着脱自在に嵌合できるよう形成する。
【００３８】
実施例２の保持具付きしゃもじについても炊飯器蓋上にしゃもじ１を取り付けた場合にしゃもじ１が略水平に取り付けられるよう首部１２の形状及び支持部２２上部の載置面２３の形状を調整し形成する。
【００３９】
実施例２のしゃもじ保持手段は、以上のとおりであり、該しゃもじ保持手段を除くその他のしゃもじ１の形状及び材質、支持部２２の形状及び材質、炊飯器等への取付手段、使用方法、取り付け場所等については、実施例１と同様である。
【００４０】
【実施例３】
実施例３の保持具付きしゃもじは、図６、図７Ａに示すとおり掬い部１１及び首部１２並びに把持部１３から成るしゃもじ１の首部１２裏面にジョイントボール１７を設け、一方、支持部２２上部には、開口部が狭くなった凹状受部２６を設け、ジョイントボール１７と凹状受部２６が嵌合する構造のしゃもじ保持手段を備え、支持部２２下部には、炊飯器等への取付手段として吸盤２１を設ける。
【００４１】
前記凹状受部２６は、塩化ビニール、ゴム等の弾性素材から成り、しゃもじ１のジョイントボール１７を挿入した場合、弾性変形により嵌合し、弾性力を有する凹状受部２６の内壁２６ａにジョイントボール１７が狭持され、しゃもじ１が着脱自在に保持でき、ジョイントボール１７を軸にしゃもじを回動自在に位置調整できるよう形成する。
【００４２】
支持部２２上面即ち凹状受部２６上面は、図６、図７Ａに示すとおり中心に向かい漏斗状に傾斜する傾斜面２６ｂを設け、しゃもじ１のジョイントボール１７が凹状受部２６にスムーズに挿入できる形状に形成する。
【００４３】
前記凹状受部２６は、図７Ｂに示すとおり上面より縦十字等の切欠部２６ｃを形成し、より柔軟に着脱し易い形状に形成することもできる。
【００４４】
前記凹状受部２６の内壁２６ａの形状及びジョイントボール１７の形状は、卵型、楕円等に変形した球状であってもよい。
【００４５】
実施例３のしゃもじ保持手段は、以上のとおりであり、該しゃもじ保持手段を除くその他のしゃもじ１の形状及び材質、支持部２２の形状及び材質、炊飯器等への取付手段、使用方法、取り付け場所等については、実施例１と同様である。
【００４６】
【実施例４】
実施例４の保持具付きしゃもじは、図８図９に示すとおり掬い部１１及び首部１２並びに把持部１３から成るしゃもじ１の首部１２裏面に磁石２７ａを設け、一方、支持部２２上部の載置面２３中央に磁石２７ｂを設け、磁石２７ａと磁石２７ｂが吸引する磁力によって保持されるしゃもじ保持手段を備え、支持部２２下部には、炊飯器等への取付手段として吸盤２１を設ける。
【００４７】
実施例４の保持具付きしゃもじは、磁石２７ａと磁石２７ｂを軸に回動自在に位置調整できることから、実施例１のような保持する際のしゃもじの向きに制約が無く、楽にしゃもじを保持することができる。
【００４８】
前記磁石２７ａ及び２７ｂは、小型軽量で強力なネオジウム磁石等を使用することが望ましく、ネオジウム磁石の表面に吹付け塗装、電気ニッケルメッキ法等の防錆表面処理を施し、また、二つのうちどちらか一方を磁石に吸着する防錆処理を施した鉄、磁性ステンレス鋼等の素材を用いることもできる。
【００４９】
また、錆びに強い磁石としてネオジウム磁石やフェライト磁石の粉末をプラスチック樹脂に混ぜて形成するプラスチック磁石を使用することもでき、しゃもじ１及び支持部２２の素材をプラスチック磁石で形成することもできる。
【００５０】
また、プラスチック樹脂に限らず、ネオジウム磁石やフェライト磁石の粉末を塩化ビニール、ゴム等に混ぜて形成し、吸盤２１と支持部２２とを一体成型することができる。
【００５１】
前記支持部２２は、円柱、四角柱またはテーパー状等の形状に限らず、図８図９に示すとおり植物や果物、人の形や動物等のキャラクターを模した形状を造形することができる。
【００５２】
前記載置面２３は、しゃもじ１のぐらつき防止及び載置場所の目印となるものであり、図８に示した丸い花形に限らず、四角、三角等の形状に形成してもよい。
【００５３】
実施例４のしゃもじ保持手段は、以上のとおりであり、該しゃもじ保持手段を除くその他のしゃもじ１の形状及び材質、支持部２２の形状及び材質、炊飯器等への取付手段、使用方法、取り付け場所等にあっては、実施例１と同様である。
【００５４】
【発明の効果】
請求項１によれば、本発明は、しゃもじが炊飯器の取り付け面に対し掬い部と把持部が距離をもって取り付けられるようにしたことで、炊飯器蓋上に取り付けた場合、しゃもじが略水平に浮いた状態となることから、把持部は、掴み取り易く、しゃもじの着脱が容易となり、掬い部も炊飯器蓋上に浮いた状態となることから、掬い部はどこにも接触すること無く衛生的に仮置きすることができる。また、掬い面を上向きで保持できることから掬い面を垂直に保持するものと比べ付着した米粒が落下し難く、開口部近くの炊飯器蓋上に取り付け可能としたことにより手早く楽に仮置することができる。
【００５５】
請求項２によれば、本発明のしゃもじ保持具により市販のしゃもじでも保持することができる。
【００５６】
請求項３によれば、しゃもじの位置調整ができ、しゃもじを自由な向きに保持することができる。
【００５７】
請求項４によれば、磁力による保持手段を備えた保持具付きしゃもじをネオジウム磁石やフェライト磁石等の粉末をプラスチック樹脂、塩化ビニール、ゴム等に混ぜた磁性素材で形成することにより、むき出しのネオジウム磁石のように錆びる事が無い。
【図面の簡単な説明】
【図１】本発明による保持具付きしゃもじ（実施例１）の全体構成を示す斜視図である。
【図２】実施例１の保持具付きしゃもじにおいて首部１２に嵌合溝１４を設けた場合のしゃもじ１の部分斜視図である。
【図３】（Ａ）は、実施例１の保持具付きしゃもじのしゃもじを保持した状況を示すしゃもじ長手方向断面図であり、（Ｂ）は、同実施例１の吸盤２１と取付支持部２２を設ける場合の構造を示す断面図である。
【図４】実施例２の保持具付きしゃもじの全体構成を示す斜視図である。
【図５】実施例２の保持具付きしゃもじのしゃもじを保持した状況を示す部分断面側面図である。
【図６】実施例３の保持具付きしゃもじの全体構成を示す斜視図である。
【図７】（Ａ）は、実施例３の保持具付きしゃもじのしゃもじを保持した状況を示す部分断面側面図であり、（Ｂ）は、同実施例３の保持具付きしゃもじにおいて上方から縦十字に切欠部２６Ｃを設けた凹状受部２６の部分斜視図である。
【図８】実施例４の保持具付きしゃもじの全体構成を示す斜視図である。
【図９】実施例４の保持具付きしゃもじの部分断面図である。
【図１０】（Ａ）は、炊飯器蓋上に取り付けた保持具にしゃもじを押圧して取り付ける状況を示す正面図であり、（Ｂ）は、しゃもじを炊飯器蓋上に取り付けた状況を示す斜視図である。
【符号の説明】
１しゃもじ
１１掬い部
１２首部
１３把持部
１４嵌合溝
１５掬い面
１６嵌入孔
１７ジョイントボール
２保持具
２１吸盤
２２支持部
２３載置面
２４嵌合爪
２４ａ係止部
２４ｂ傾斜面
２５ジョイントボール
２６凹状受部
２６ａ内壁
２６ｂ傾斜面
２６ｃ切欠部
２７ａ磁石
２７ｂ磁石
２８取付支持部
２８ａ嵌合突起
２８ｂ下向凹状孔
２８ｃ嵌合孔
【図１】
2004313638.tif 000003
【図２】
2004313638.tif 000004
【図３】
2004313638.tif 000005
【図４】
2004313638.tif 000006
【図５】
2004313638.tif 000007
【図６】
2004313638.tif 000008
【図７】
2004313638.tif 000009
【図８】
2004313638.tif 000010
【図９】
2004313638.tif 000011
【図１０】
2004313638.tif 000012